(57)【要約】【課題】光源装置から排出された熱がカ−ト内の空間に籠もらず、載置した機器を常に良好な状態で使用することができる内視鏡用カートを提供すること。【解決手段】内視鏡に供給する照明光を発生させる光源装置３０を載置するための光源装置載置棚５を有していて前面側Ｆ以外の各面に壁板１，２が設けられた内視鏡用カートにおいて、光源装置載置棚５に載置された光源装置３０に面する側面壁板２と背面壁板１の少なくとも一方に、その壁板１，２内の空間の空気を外気と入れ換えるための換気扇１５を設けた。【選択図】      図１
2007144009.tif 000002
【特許請求の範囲】
【請求項１】
内視鏡に供給する照明光を発生させる光源装置を載置するための光源装置載置棚を有していて前面側以外の各面に壁板が設けられた内視鏡用カートにおいて、
上記光源装置載置棚に載置された光源装置に面する側面壁板と背面壁板の少なくとも一方に、その壁板内の空間の空気を外気と入れ換えるための換気扇を設けたことを特徴とする内視鏡用カート。
【請求項２】
上記換気扇が上記壁板内の空間の空気を外部に排出する排気ファンである請求項１記載の内視鏡用カート。
【請求項３】
上記換気扇が、上記壁板内の空間の空気を外部に排出する排気ファンと上記壁板内の空間に外気を吸入する吸気ファンである請求項１記載の内視鏡用カート。
【請求項４】
上記換気扇が、上記光源装置の排気口に面する壁板に配置されている請求項１、２又は３記載の内視鏡用カート。
【発明の詳細な説明】
【技術分野】
【０００１】
この発明は、内視鏡検査を行う際に用いられる機材を載せるための内視鏡用カートに関する。
【背景技術】
【０００２】
内視鏡用カートは一般に、例えば図８に示されるように、内視鏡観察画像を表示するためのモニタテレビ９１が最上段の棚９２に載せられ、その下方に配置された複数の棚９３，９４，９５には内視鏡と共に用いられる他の機材（例えば、光源装置兼ビデオプロセッサ９６やポンプ９７等）が載せられて、底部に取り付けられた車輪９８により移動自在に構成されている（例えば、特許文献１、２）。
【特許文献１】特開２０００−２９６１００
【特許文献２】特開２００２−２２４０１３
【発明の開示】
【発明が解決しようとする課題】
【０００３】
上述のような内視鏡用カートは、強度確保のため、及び棚に載置された装置が落下したり移動の際に周囲の物にぶつかったりして破損したりしないように、前面以外の各面が壁板によって塞がれた状態に構成されている。              
【０００４】
そのため、内視鏡に供給する照明光を発生させる光源装置が載置された空間においては、光源ランプから放射された熱が籠もって空気の温度が上昇し、光源装置やその他の機器に悪影響を及ぼす恐れがある。
【０００５】
特に、光源装置から一度排出された温風がカート外に排出されずに再び光源装置に吸い込まれ、光源ランプでさらに加熱される現象が繰り返されると、カート内の空間の温度が著しく上昇して電子部品等が破損してしまう恐れが生じる。
【０００６】
そこで本発明は、光源装置から排出された熱がカート内の空間に籠もらず、載置した機器を常に良好な状態で使用することができる内視鏡用カートを提供することを目的とする。
【課題を解決するための手段】
【０００７】
上記の目的を達成するため、本発明の内視鏡用カートは、内視鏡に供給する照明光を発生させる光源装置を載置するための光源装置載置棚を有していて前面側以外の各面に壁板が設けられた内視鏡用カートにおいて、光源装置載置棚に載置された光源装置に面する側面壁板と背面壁板の少なくとも一方に、その壁板内の空間の空気を外気と入れ換えるための換気扇を設けたものである。
【０００８】
なお、換気扇が壁板内の空間の空気を外部に排出する排気ファンであってもよく、或いは、壁板内の空間の空気を外部に排出する排気ファンと壁板内の空間に外気を吸入する吸気ファンであってもよい。
【０００９】
また、換気扇が、光源装置の排気口に面する壁板に配置されていると換気の効率がよい。
【発明の効果】
【００１０】
本発明によれば、光源装置載置棚に載置された光源装置に面する側面壁板と背面壁板の少なくとも一方に、その壁板内の空間の空気を外気と入れ換えるための換気扇を設けたことにより、光源装置から排出された熱がカート内の空間に籠もらず、載置した機器を常に良好な状態で使用することができる。
【発明を実施するための最良の形態】
【００１１】
内視鏡に供給する照明光を発生させる光源装置を載置するための光源装置載置棚を有していて前面側以外の各面に壁板が設けられた内視鏡用カートにおいて、光源装置載置棚に載置された光源装置に面する側面壁板と背面壁板の少なくとも一方に、その壁板内の空間の空気を外気と入れ換えるための換気扇を設ける。
【実施例】
【００１２】
図面を参照して本発明の実施例を説明する。
図１、図２及び図３は内視鏡用カートの斜視図、側面図及び背面図である。
内視鏡用カートの前面側Ｆには壁板の類は設けられておらず、前面側Ｆ以外の各面は壁板１，２によって塞がれている。
【００１３】
１は背面部を塞ぐ背面壁板、２は側面部を塞ぐ側面壁板であり、内視鏡用カートの背面部分は背面壁板１によって完全に塞がれ、側面部分は後端から三分の二ないし四分の三程度の範囲が塞がれた状態になっている。
【００１４】
背面壁板１と側面壁板２の上端部に固定的に取り付けられた最上段の棚３の上には、内視鏡観察画像等を表示するためのモニタテレビ２０が前方に向けて載せられており、一番下の棚である底板６の裏面の四隅には各々、車輪７が回転自在及び向きをフリーに変えられる状態で回動自在に取り付けられていて、内視鏡用カートを任意の位置に移動させることができる。
【００１５】
そのような底板６には、例えば内視鏡検査の際に用いられるポンプ４０等が載置され、その上の棚５は、内視鏡に供給する照明光を発生させる光源装置（兼ビデオプロセッサ）３０を載置するための光源装置載置棚、さらにその上の棚４は予備の棚である。
【００１６】
そのような光源装置載置棚５に載置された光源装置３０に面する背面壁板１と側面壁板２には、その壁板１，２内の空間の空気を外気と入れ換えるための換気扇１５が各々に二個ずつ並んで配置されている。
【００１７】
図４は、その部分の配置を示す平面断面図（図３におけるIV−IV断面図）であり、光源ランプ３１を内蔵する光源装置３０の筐体には、光源ランプ３１で温められた空気を筐体外に排出するための排気ファン３２と排気口３４が設けられると共に、外気を取り入れる吸気口３３が設けられている。
【００１８】
背面壁板１と側面壁板２とに二個ずつ並んで配置された換気扇１５は、何れも背面壁板１と側面壁板２とで囲まれて光源装置３０が載置された空間の空気を外部に排出する排気ファンである。
【００１９】
そのような構成により、光源ランプ３１で温められて排気ファン３２により排気口３４から光源装置３０外に排気された空気は、換気扇１５によって背面壁板１と側面壁板２の外部に排出され、それに代わって前面側Ｆ側から外気が導入される。
【００２０】
したがって、光源装置３０から排出された熱が内視鏡用カートの内部空間に籠もらないので、電子部品が劣化せず、光源装置３０やポンプ４０等を常に正常な状態で使用することができる。
【００２１】
なお、本発明は上記実施例に限定されるものではなく、例えば図５や図６に示されるように、複数の換気扇１５の一部として外気導入のための吸気ファンを配置しても差し支えない。
【００２２】
また、図７に示されるように、換気扇１５は少なくとも一個設けられていればよく、その場合には、換気扇１５が光源装置３０の排気口３４に面する壁板に配置されていると換気の効率がよい。
【図面の簡単な説明】
【００２３】
【図１】本発明の第１の実施例の内視鏡用カートの斜視図である。
【図２】本発明の第１の実施例の内視鏡用カートの側面図である。
【図３】本発明の第１の実施例の内視鏡用カートの背面図である。
【図４】本発明の第１の実施例の内視鏡用カートの平面断面図（図３におけるIV−IV）断面図である。
【図５】本発明の第２の実施例の内視鏡用カートの平面断面図である。
【図６】本発明の第３の実施例の内視鏡用カートの平面断面図である。
【図７】本発明の第４の実施例の内視鏡用カートの平面断面図である。
【図８】従来の内視鏡用カートの斜視図である。
【符号の説明】
【００２４】
１  背面壁板
２  側面壁板
５  光源装置載置棚
１５  換気扇
３０  光源装置
３１  光源ランプ
３２  排気ファン
３４  排気口
Ｆ  前面側
【図１】
2007144009.tif 000003
【図２】
2007144009.tif 000004
【図３】
2007144009.tif 000005
【図４】
2007144009.tif 000006
【図５】
2007144009.tif 000007
【図６】
2007144009.tif 000008
【図７】
2007144009.tif 000009
【図８】
2007144009.tif 000010